(57)【要約】【課題】この発明は、背ボトムの起伏に拘わらず、看者の腹部が圧迫されず、かつ患者の腰位置が脚方向へ移動することのない介護用ベッドを得ることを課題とするものである。【解決手段】この発明の介護用ベッドは、基台１に背ボトム２を起伏自在に取り付けた介護用ベッドにおいて、前記背ボトム１の下部に開放部６を形成したことを特徴とするものである。基台には、背ボトムの開放部に対応する受け部材を配設することが好ましい。【作用】背ボトムを立ち上がらせると患者の腰が開放部６から落とし込まれるので、背ボトムの角度に関わらず脊柱と骨盤の角度がほぼ一定に保持され、腹部が圧迫されず、かつ脚位置が移動することもない。【選択図】  図１１
2004166984.tif 000002
【特許請求の範囲】
【請求項１】
基台に背ボトムを起伏自在に取り付けた介護用ベッドにおいて、前記背ボトムの下部に開放部を形成したことを特徴とする、介護用ベッド
【請求項２】
基台に、背ボトムの開放部に対応する受け部材を配設した、請求項１記載の介護用ベッド
【発明の詳細な説明】
【０００１】
【産業上の利用分野】
この発明は介護用ベッドに関するものである。
【０００２】
【従来の技術】
介護用ベッドは、患者が上半身を起き上がらせた状態を支持するため、背ボトムが起伏自在となっている。
一般に介護用ベッドのボトムは、背ボトム、腰ボトム、脚ボトムで構成されているが、背ボトムと腰ボトムが連結されていると、背ボトムが立ち上がるにつれて背ボトムと腰ボトムとの間の空間が狭まり、看者の腹部が圧迫される。
そこで、患者の上半身を起き上がらせた状態まで背ボトムを立ちあがらせるためには、介護者が患者の腰の位置を背ボトム側へ移動させて、腹部の圧迫を和らげる必要がある。
【０００３】
上記問題点を解決するものとして、腰ボトムと背ボトムとの連結部をすのこ状に構成して該部の長さが変化するようにしたものが提案されている。
しかし、この構造においても腹部の圧迫は和らげられるものの、腰位置の足方向への移動は避けられず、介護者による患者の移動が不可欠であった。
【０００４】
【発明が解決しようとする課題】
この発明は、背ボトムの起伏に拘わらず、看者の腹部が圧迫されず、かつ患者の腰位置が脚方向へ移動することのない介護用ベッドを得ることを課題とするものである。
【０００５】
【課題を解決するための手段】
この発明の介護用ベッドは、基台に背ボトムを起伏自在に取り付けた介護用ベッドにおいて、前記背ボトムの下部に開放部を形成したことを特徴とするものである。基台には、背ボトムの開放部に対応する受け部材を配設することが好ましい。
【０００６】
この発明は、背ボトムを立ち上がらせる際の腹部圧迫の原因は、第１にマットレスとの剪断力による脊柱の屈曲、すなわち次第に大きくなるマットレスの傾斜に患者の背中が追随できないことによる脊柱の屈曲、第２に脊柱を受ける骨盤の角度にあり、これらを適正に保つことにより腹部の圧迫が改善されるという知見に基づくものである。
すなわち、従来の介護用ベッドは背ボトムを立ち上がらせる際に、骨盤は水平に保持された腰ボトム上に位置するようになっている。そのために背ボトムを立ち上がらせると、脊柱は背ボトムと共に傾斜を強めるにも関わらず骨盤の角度は変化しない。
脊柱と骨盤とは直線をなす関係（人が水平な床に横たわった状態）にあることが好ましところ、従来のベッドにおいては脊柱のみが傾斜するので、背ボトムの傾斜が大きくなるにしたがい脊柱と骨盤とが角度をなした状態となり、復圧が大きくなる。
この発明は、上記構成により係る問題を解消する。
【０００７】
【作用】
この発明において、背ボトムを水平位置から次第に傾斜させて立ち上がらせると、患者の骨盤はマットレスと一体となって開放部から落ち込む。その結果、骨盤は前傾し、脊柱と正常な関係が維持され、マットレスの圧縮や剪断力の発生が低下することとなり、背ボトムが腹部を圧迫することがない。
請求項２の発明においては、背ボトムの開放部に対応して受け部材を配設したので、背ボトムを水平にしたときに開放部のマットレスは受け部材で支持されるので、水平状態で使用するときにおけるマットレスの状態が不安定になることがない。
【０００８】
【発明の実施の形態】
図１において、基台１に、背ボトム２と脚部を支持する第１の脚ボトム３が共通の取付軸４に起伏自在に取り付けてあり、前記第１の脚ボトム３の他端に患者の脚部を支持する第２の脚ボトム５起伏自在に取り付けてある。
前記前記背ボトム３の下部（取付軸４側）には開放部６が設けてあり、前記基台１にはこの開放部６に対応する平面長方形の受け部材７が配設してある。
【０００９】
前記開放部６は背ボトム２を立ち上がらせたときに患者の腰部が落とし込まれるものである。したがって、その縦方向の寸法は２２〜２８センチ程度が適当であり、幅方向は背ボトムの全幅にわたるものが好ましい。
前記受け部材７は、背ボトムを水平にして使用する際にマットレスの落ち込みを防止し、マットレス表面を水平に保持するためのものである。したがって、背ボトム２が水平状態にあるとき、その開放部６にはまりこみ、背ボトム２の上面と受け部材７の上面とが同じ高さに位置することが好ましい。
この実施形態においては、受け部材７を前記取付軸４に連結し、背ボトム２、第１、第２の脚ボトム３，５と併せて一体の部材として扱えるようにしてある。
【００１０】
背ボトム２の起伏装置は以下のように構成されている。
アクチュエーターのロッドに連動する背上げ用フラットバー１１の先端には背上げローラー１２が取り付けてあり、この背上げローラー１２が前記背ボトム２に取り付けられたレール状のローラーガイド１３の溝に装着してある。
また、サイドフレームのヘッドボード側に固定棒１４の基端部１４ａが回転自在に取り付けてあり、この固定棒１４の先端部１４ｂは前記背ボトム２の下部に回転自在に取り付けてある。前記フラットバー１１と固定棒１４で構成されるリンクにより背ボトム２が起伏する。
図中符号１５は脚ボトム３を起伏させるためのバーである。
なお、背ボトムの起伏装置は上記並びに以下の実施形態の他、公知の構造を適宜採用することができる。
【００１１】
図４ないし図８は、背ボトムの起伏装置の別の例を示すものである。
この例においては背ボトム２が下部背ボトム２ａと上部背ボトム２ｂとに分割されて回動可能に連結されており、前記下部背ボトム又は上部背ボトムの何れかに設置したモーター（図示しない）によって両背ボトムの相対角度を変化できるようにしてある。そして、前記下部背ボトム２ａの下部には開放部６が設けてある。また、第１の脚ボトム２と第２の脚ボトム３とも同様に何れかの脚ボトムに設置したモーター（図示しない）により相対角度を変化できるようにしてある。なお、第２の脚ボトム４はその先端側が基台１よりも下方へ移動できるように、基台の内寸よりも幅狭にしてある。
【００１２】
前記下部背ボトム２ａと第１の脚ボトム３との取付軸４には、前記下部背ボトム２ａに固着された三角形の作動体２１の１つの頂点が回動自在に取り付けてある。また、前記第１の脚ボトム３に第１リンクアーム２２の一端が回動自在に取り付けてあり、第１リンクアーム２２の他端に第２リンクアーム２３の一端が回動自在に取り付けてあり、第２リンクアーム２３の他端は前記作動体２１の１つの頂点に回動自在に取り付けてある。
このようにして、前記作動体２１、第１リンクアーム２１，第２リンクアーム２３、腰ボトム３とでリンクを構成し、前記作動体２１の他の頂点にはモーター２４のロッドが取り付けてある。また、前記第１リンクアーム２２と第２リンクアーム２３の連結軸には支持アーム２５の一端が回動自在に取り付けてあり、その他端は基台１に回動自在に取り付けてある。
【００１３】
この実施形態によれば、１台のモーター２４を作動させることにより、背ボトムの起伏と第１の脚ボトムの起伏とを同時に行うことができる。
図４に示す全ボトムを水平にした状態では、モーター２４のロッドは伸びきった状態となっている。このロッドを縮めると、ロッドと作動体２１との連結部はモーター側へ引き寄せられ、それに伴って作動体２１に連結された第２リンクアーム２３の一端も作動体２１と共に移動する。第２リンクアーム２３と第１リンクアーム２２との連結部は支持アーム２５によって支持されているので、第２リンクアーム２３の移動に伴って第１リンクアーム２２が移動し、第１の脚ボトム３が上方へ回動する。
他方、前記作動体２１は下部背ボトム２ａに固着されているので、作動体２１の回動に伴って下部背ボトム２ａは上向きに傾斜する。
【００１４】
更にモーター２４のロッドを作動させると第１リンクアーム２２が垂直になり（図６）、更にモーターのロッドを縮めると第１リンクアーム２２と第１の脚ボトムとの連結点が上死点をこえるので、第１リンクアーム２２の回動に伴い第１の脚ボトム３は次第に下降する。
他方背ボトム２は上昇を続ける。そして、背ボトム２が看者の背を直立状態に保持する位置になったときには第１の脚ボトム３が水平となるように前記作動体２１，第１、第２のリンクアーム２２，２３の長さを調整してある。
【００１５】
上記においては、作動体２１を三角形として、モーター２４のロッドを作動体２１に連結したが、作動体はアーム状でもよい。
すなわち、下部背ボトム２ａに固定されたアームを設け、その先端を第２リンクアーム２３すると共に、その連結点においてモーターのロッドに連結してもよい。
【００１６】
以下、図９に示す背ボトム２を水平として看者がベッド上に横たわった状態から背ボトム２を立ち上がらせる際の、看者の骨盤３１と脊柱３２の関係を説明する。
図９に示す水平状態において、背ボトム２と第１の脚ボトム３の連結部付近に患者の腰を位置させる。このとき、背ボトム２の開放部６には受け部材７が位置しているので、マットレス３３は水平状態に保持され、骨盤３１と脊柱３２は直線をなしている。
この状態からアクチュエーターを作動させて背ボトム２を立ち上がらせると、看者の腰はマットレス３３と共に背ボトム２の開放部６から落とし込まれる。このとき、骨盤３１はやや前傾する（図１０）。
その後背ボトム２を更に傾斜させると、骨盤２１は背ボトム２の傾斜に追随して傾斜する（図１１ないし１３）。
すなわち、骨盤３１と脊柱３２との角度は水平時と殆ど変わらず、脊柱３２の屈曲も殆ど生じることがない。
したがって、患者が自力で移動できなくとも背ボトムの縦位置への移動時に腹部を圧迫されることがない。
【００１７】
【発明の効果】
この発明によれば、背ボトムを起伏自在に取り付けた介護用ベッドにおいて、前記背ボトムの下端に開放部を設けたので、背ボトムを傾斜させたときに患者の腰が前記開放部から落とし込まれる。その結果、骨盤は背ボトムの傾斜に対応して角度を変化することができるので、脊柱と骨盤との相対角度は最も自然な角度（患者に圧迫を与えない角度）に維持される。
そして、脊柱と骨盤との相対角度が好ましい角度に維持されることにより、脊柱の屈曲も阻止される。
したがって、背ボトムによって患者の腹部が押されることがないので、背ボトムを立ち上がらせることにより無理なく患者の上半身を起こすことができる。
また、請求項２の発明においては、開放部に対応して受け部材を配設したので、水平状態で使用する際に開放部部分でマットレスがへこむことがない。
【図面の簡単な説明】
【図１】この発明実施形態のボトムの態様を示す正面図
【図２】この発明の実施形態において背ボトムを立てた状態におけるボトムの態様を示す正面図
【図３】この発明の実施形態におけるボトムの平面図
【図４】この発明の別の実施形態における背ボトム水平時の態様を示す正面図
【図５】この発明の別の実施形態における背ボトム立ち上げ途中の態様を示す正面図
【図６】この発明の別の実施形態における背ボトム立ち上げ途中の態様を示す正面図
【図７】この発明の別の実施形態における背ボトム縦位置で第２の脚ボトムを下げた態様を示す正面図
【図８】この発明の別の実施形態における背ボトム縦位置で第２の脚ボトムを水平とした態様を示す正面図
【図９】この発明における背ボトム水平時の脊柱と骨盤の関係を示す図
【図１０】この発明における背ボトム立ち上げ途中の脊柱と骨盤の関係を示す図
【図１１】この発明における背ボトム立ち上げ途中の脊柱と骨盤の関係を示す図
【図１２】この発明における背ボトム縦位置で第２の脚ボトムを下げた状態における脊柱と骨盤の関係を示す図
【図１３】この発明における背ボトム縦位置で第２の脚ボトムを水平にした状態における脊柱と骨盤の関係を示す図
【符号の説明】
１    基台
２    背ボトム
３    第１の脚ボトム
４    取付軸
５    第２の脚ボトム
６    開放部
７    受け部材
１１  フラットバー
１２  ローラー
１３  ローラーガイド
１４  固定棒
１５  バー
２１  作動体
２２  第１リンクアーム
２３  第２リンクアーム
２４  モーター
２５  支持アーム
３１  骨盤
３２  脊柱
３３  マットレス
【図１】
2004166984.tif 000003
【図２】
2004166984.tif 000004
【図３】
2004166984.tif 000005
【図４】
2004166984.tif 000006
【図５】
2004166984.tif 000007
【図６】
2004166984.tif 000008
【図７】
2004166984.tif 000009
【図８】
2004166984.tif 000010
【図９】
2004166984.tif 000011
【図１０】
2004166984.tif 000012
【図１１】
2004166984.tif 000013
【図１２】
2004166984.tif 000014
【図１３】
2004166984.tif 000015